(57)【要約】【課題】ペーパードリップ方式の簡略な構成のドリップバッグを、種々の開口径のカップに掛止させ、注湯時の袋本体の開口形状を広く安定化させる。【解決手段】ドリップバッグ１Ａが、上端部に開口部を有する袋本体２と、袋本体２の対向する２面の外表面に設けられた掛止部材３からなる。袋本体２が通水性濾過性シート材料から形成され、掛止部材３が薄板状材料から形成される。掛止部材３は、（１）袋本体２の外表面に貼着された貼着部１０、（２）袋本体２の外表面から引き起こし可能に形成され、貼着部１０と折れ線Ｌ１  で連続し、カップ上縁部に対する掛止用凹部４を有する第１の掛止部５、及び（３）前記折れ線Ｌ１  を挟んで第１の掛止部５の反対側に、貼着部１０に連続して形成され、カップ上縁部に対する掛止用凹部６を有する第２の掛止部７からなる。【選択図】    図１
2004358000.tif 000002
【特許請求の範囲】
【請求項１】
上端部に開口部を有する袋本体と、袋本体の対向する２面の外表面に設けられた掛止部材からなるドリップバッグであって、
袋本体が通水性濾過性シート材料から形成され、
掛止部材が薄板状材料から形成され、
掛止部材が、（１）袋本体の外表面に貼着された貼着部、（２）袋本体の外表面から引き起こし可能に形成され、貼着部と折れ線で連続し、カップ上縁部に対する掛止用凹部を有する第１の掛止部、及び（３）前記折れ線を挟んで第１の掛止部と反対側に、貼着部に連続して形成され、カップ上縁部に対する掛止用凹部を有する第２の掛止部からなるドリップバッグ。
【請求項２】
前記折れ線と第２の掛止部の掛止用凹部が、掛止部材の水平方向の片側領域に形成されている請求項１記載のドリップバッグ。
【請求項３】
通水性濾過性シート材料及び掛止部材が生分解性材料からなる請求項１記載のドリップバッグ。
【請求項４】
請求項１〜３のいずれかに記載のドリップバッグに抽出原料が充填され、袋本体の上端が閉じられている飲料ドリップバッグ。
【請求項５】
抽出原料がコーヒー粉又は茶葉である請求項４記載の飲料ドリップバッグ。
【発明の詳細な説明】
【０００１】
【発明の属する技術分野】
本発明は、カップ等の容器の上部に掛止することにより、容易にドリップ式でコーヒー、紅茶、緑茶、漢方薬等の抽出液を得られるようにするドリップバッグに関する。
【０００２】
【従来の技術】
従来より、手軽に本格的なコーヒーを楽しむことを可能とするコーヒーの入れ方として、ペーパードリップ方式が広く普及している。このペーパードリップ方式では、通常、数人分（数杯分）のコーヒーが一度に抽出される。
【０００３】
一方、近年、一人暮らしをする者が多くなり、また、核家族化や出生率の低下等により一家族の構成人数も少なくなっている。そのため、従来の数杯分のコーヒーを抽出することが基本とされているペーパードリップ方式に代えて、一杯分のコーヒーの抽出を手軽に行えるようにすることを目的とした、使い捨てのワンドリップコーヒーが種々の製品形態で市場に出回っている。
【０００４】
中でも、簡略な構成を有するものとしては、コーヒー粉を入れた通水性濾過性シートからなる袋本体と、その袋本体をカップに掛止させるために、袋本体の表裏両面に貼着された紙製等の掛止部材とからなるコーヒードリップバッグであって、各掛止部材に、カップ上縁部に引っ掛かる掛止用凹部を形成したものが提案されている（特許文献１参照）。
【０００５】
また、コーヒードリップバッグをカップに掛止して注湯するときの袋本体の開口径を大きくし、その形状を安定させるため、図５に示すコーヒードリップバッグ１００のように、袋本体２に取り付ける掛止部材３の内側に、掛止用凹部４を有する第１の掛止部５を設けると共に、その掛止部材３の端部に、第２の掛止用凹部６を有する第２の掛止部７を延設することが提案されている（特許文献２参照）。
【０００６】
このコーヒードリップバッグ１００を使用する際には、まず、ミシン目８に沿って袋本体２の上端部を切除することにより開口し、次いで、図６に示すように、第１の掛止部５を引き起こし、それをカップにかける。
【０００７】
図７は、こうしてコーヒードリップバッグ１００をカップ３０にかけたときの上面図である。同図からわかるように、このコーヒードリップバッグ１００によれば、袋本体２が、２つずつの第１の掛止部５と第２の掛止部７により合計４箇所でカップ３０に支持され、袋本体２の開口形状が広く安定する。
【０００８】
【特許文献１】実用新案登録２５０５９５９号公報
【特許文献２】特許第３１９７９８３号公報
【０００９】
【発明が解決しようとする課題】
しかしながら、従来の４箇所で袋本体２を支持するコーヒードリップバッグ１００は、それを使用することのできるカップの開口径の範囲が狭く、１種のコーヒードリップバッグで開口径の小さいカップから大きいカップにまで対応させることはできなかった。
【００１０】
これに対し、本発明は、ペーパードリップ方式でコーヒー、紅茶、緑茶、漢方薬等の抽出液を得られるようにする簡略な構成のドリップバッグであって、種々の開口径のカップに対して安定に掛止させられるものを提供することを目的とする。
【００１１】
【課題を解決するための手段】
本発明者らは、通水性濾過性シートからなる袋本体と、薄板状材料からなる掛止部材とからなるドリップバッグにおいて、該ドリップバッグをカップに掛けた場合に、袋本体が掛止部材によってカップに４箇所で支持されるようにするにあたり、その４箇所の部位を袋本体の全周に略均等に分散させて設けるのではなく、ある程度の狭い領域に偏在させると、ドリップバッグを、開口径の狭いものから広いものまで種々のカップに安定に掛止させることができ、また、注湯時の形状の崩れも押さえられることを見出した。
【００１２】
即ち、本発明は、上端部に開口部を有する袋本体と、袋本体の対向する２面の外表面に設けられた掛止部材からなるドリップバッグであって、
袋本体が通水性濾過性シート材料から形成され、
掛止部材が薄板状材料から形成され、
掛止部材が、（１）袋本体の外表面に貼着された貼着部、（２）袋本体の外表面から引き起こし可能に形成され、貼着部と折れ線で連続し、カップ上縁部に対する掛止用凹部を有する第１の掛止部、及び（３）前記折れ線を挟んで第１の掛止部と反対側に、貼着部に連続して形成され、カップ上縁部に対する掛止用凹部を有する第２の掛止部からなるドリップバッグを提供する。
【００１３】
また、このドリップバッグに抽出原料が充填され、袋本体の上端が閉じられている飲料ドリップバッグを提供する。
【００１４】
【発明の実施の形態】
以下、本発明のドリップバッグ及びドリップバッグにコーヒー等の抽出原料をを充填した飲料ドリップバッグを、図面を参照しつつ詳細に説明する。なお、各図中、同一符号は同一又は同等の構成要素を表している。
【００１５】
図１（ａ）は、本発明の飲料ドリップバッグの一形態であるコーヒードリップバッグ１００Ａの一実施例の平面図であり、図１（ｂ）、（ｃ）は、それぞれその使用状態の説明図である。
【００１６】
このコーヒードリップバッグ１００Ａに使用されているドリップバッグ１Ａは、通水性濾過性シート材料からなる袋本体２と、袋本体２の対向する２面の外表面に設けられた掛止部材３からなっている。
【００１７】
袋本体２は、対向する表裏２つの矩形面２ａ、２ｂを有している。このような袋本体２は、例えば、一枚の矩形シートを二つ折りにし、その折山を矩形面２ａ、２ｂの下辺とし、矩形面２ａ、２ｂの両側辺２ｐ、２ｑを接着又は融着し（図１（ａ）において、横線のハッチングを付した部分）、上端部を開口部として残すことにより形成することができる。袋本体２にコーヒー粉が充填された後、この開口部は封止される。なお、袋本体２の上端部には予め開封用にミシン目８を施しておくことが好ましい。
【００１８】
袋本体２を形成する通水性濾過性シート材料としては、所定量のコーヒー粉を充填し、注湯した場合にコーヒーの浸出が可能であるものを種々使用することができる。一般に、浸出用シート材料としては、例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等の紙類が知られており、本発明においてもこれらを使用することができるが、コーヒードリップバッグの使用後の廃棄性の点から、通水性濾過性シート材料には生分解性繊維を含有させることが好ましい。生分解性繊維としては、ポリ乳酸、ポリブチレンサクシネート、ポリエチレンサクシネート等をあげることができる。
【００１９】
一方、掛止部材３は、袋本体２をカップ３０にかけられるようにするため、袋本体２の表裏の矩形面２ａ、２ｂの外表面にそれぞれ設けられている。図１の掛止部材３において、細かいドットで塗りつぶした部分が、袋本体２の外表面に貼着された部分であり、粗いドットで塗りつぶした部分が貼着されていない部分である。
【００２０】
掛止部材３は、紙、プラスチックシート等の薄板状材料から形成されている。この薄板状材料も、コーヒードリップバッグ１００Ａの使用後の廃棄性の点から、ポリ乳酸、ポリブチレンサクシネート、ポリエチレンサクシネート等の生分解性材料から形成したものが好ましい。
【００２１】
また、掛止部材３は、袋本体２の外表面に接着又は融着により貼着された貼着部１０と、第１の掛止部５と、第２の掛止部７からなる。この貼着部１０と第１の掛止部５と第２の掛止部７は、一枚の薄板状材料の打ち抜きにより形成されている。
【００２２】
第１の掛止部５は、袋本体２の外表面から引き起こし可能に形成され、貼着部１０と折れ線Ｌ１  で連続している。この折れ線Ｌ１  は、掛止部材３の略中央部に形成されている。また、第１の掛止部５には、このドリップバッグ１Ａをカップ３０に掛けた場合のカップ上縁部に対する掛止用凹部４が形成されている。
【００２３】
第２の掛止部７は、折れ線Ｌ１  を挟んで第１の掛止部５と反対側に、貼着部１０に連続して形成されている。この第２の掛止部７にも、ドリップバッグ１Ａをカップ３０に掛けた場合のカップ上縁部に対する掛止用凹部６が形成されている。したがって、このドリップバッグ１Ａでは、掛止用凹部６と前述の折れ線Ｌ１  とが、掛止部材３の水平方向の片側半分の領域に偏在していることとなり、後述するように、開口径の小さいカップから大きいカップまで種々のカップにドリップバッグ１Ａを安定に掛止することが可能となる。
【００２４】
第２の掛止部７の掛止用凹部６の大きさは、第１の掛止部５の掛止用凹部４に比して凹みの深さＨ２  を浅くし、幅Ｗ２  を広くすることが、種々の開口径のカップに安定にドリップバッグ１Ａを掛止できるようにする点から好ましく、例えば、袋本体２の高さＨ１  が７０〜１００ｍｍ、幅Ｗ１  が６５〜８５ｍｍである場合に凹みの深さＨ２  を３〜１０ｍｍ、幅Ｗ２  を５〜２０ｍｍとする。
【００２５】
なお、第２の掛止部７は袋本体２の外表面に貼着されていないが、第１の掛止部５のように引き起こしては使用しないので、第２の掛止部７と貼着部１０が連続する部分に折れ線は形成していない。
【００２６】
貼着部１０と第１の掛止部５と第２の掛止部７からなる掛止部材３の全体的な大きさについては特に限定はないが、コーヒードリップバッグ１００Ａをカップ３０へかけた場合に（図１（ｃ）参照）、小さすぎると袋本体２の形状の安定性が低下するので、例えば、袋本体２の高さＨ１  が７０〜１００ｍｍ、幅Ｗ１  が６５〜８５ｍｍである場合に、掛止部材３の高さＨ３  を３５〜８５ｍｍ、幅Ｗ３  を３５〜７５ｍｍ程度とすることが好ましい。
【００２７】
このコーヒードリップバッグ１００Ａを使用してコーヒーを抽出する方法としては、まず、ミシン目８にそって袋本体２の上端部を切除することにより袋本体２を開口し、図１（ｂ）に矢印で示したように、第１の掛止部５を袋本体２の外表面から引き起こす。次に図１（ｃ）に示したように、第１の掛止部５と第２の掛止部７を、カップ３０の開口部の壁３１に引っ掛けるようにして掛止させる。こうして、コーヒードリップバッグ１００Ａをカップ３０にセットした後、袋本体２の開口部９から注湯する。
【００２８】
このようにコーヒードリップバッグ１００Ａをカップ３０にセットすることにより、図２に示すように、第１の掛止部５と第２の掛止部７の合計４カ所で袋本体２がカップ３０に掛止される。袋本体２を第１の掛止部５の２カ所のみでカップ３０に掛止すると、袋本体２が傾き、注湯時に開口部９の広きが狭まりやすいが、このコーヒードリップバッグ１００Ａのように４箇所で袋本体２をカップ３０に掛止することにより、注湯時に袋本体２の開口部９を広く開いた状態に維持することができる。
【００２９】
また、このコーヒードリップバッグ１００Ａによれば、掛止用凹部６と前述の折れ線Ｌ１とが、掛止部材３の水平方向の片側半分の領域に偏在しているので、図３に示すように、カップ３０の開口径が大きい場合でも、コーヒードリップバッグ１００Ａをカップ３０にセットし、その袋本体２の開口部を広く開いた状態に維持することが可能となる。
【００３０】
なお、以上の説明では、コーヒードリップバッグ１００Ａをミシン目８で開口した後、コーヒードリップバッグ１００Ａをカップ３０にセットする例を示したが、本発明のコーヒードリップバッグ１００Ａの使用方法はこれに限られず、コーヒードリップバッグ１００Ａをカップ３０にセットした後、コーヒードリップバッグ１００Ａを開口してもよい。
【００３１】
図４は、本発明の異なる態様のコーヒードリップバッグ１００Ｂの未開封の状態の斜視図である。このコーヒードリップバッグ１００Ｂは、袋本体２の底部のシート材料を折り返してマチ１１をつけたものである。これにより、袋本体２の開口部９の開いた形状がさらに安定する。
【００３２】
この他、本発明は種々の態様をとることができる。例えば、上述のコーヒードリップバッグ１００Ａ、１００Ｂの袋本体２の上端部のミシン目８は、この部分の開口を容易にするために設けられているが、ミシン目８に代えて、この部分を容易に剥離することができる程度に熱接着によりシールしてもよい。
【００３３】
また、本発明のドリップバッグに充填する抽出原料としては、コーヒー粉に代えて紅茶、緑茶等の茶葉や、漢方薬等を使用してもよく、それにより種々の飲料ドリップバッグを得ることができる。
【００３４】
【発明の効果】
本発明によれば、ペーパードリップ方式でコーヒー、紅茶、緑茶、漢方薬等の抽出液を得られるようにする簡略な構成のドリップバッグを、種々の開口径のカップに掛止させ、ドリップバッグの袋本体の注湯時の開口形状を安定化させることが可能となる。
【図面の簡単な説明】
【図１】実施例のコーヒードリップバッグの平面図（ａ）と使用状態の説明図（ｂ）、（ｃ）である。
【図２】実施例のコーヒードリップバッグの使用状態を説明する上面図である。
【図３】実施例のコーヒードリップバッグの使用状態を説明する上面図である。
【図４】他の実施例のコーヒードリップバッグの底部側の斜視図である。
【図５】従来のコーヒードリップバッグの平面図ある。
【図６】従来のコーヒードリップバッグの使用状態の説明図である。
【図７】従来のコーヒードリップバッグの使用状態を説明する上面図である。
【符号の説明】
１Ａ  ドリップバッグ
２    袋本体
２ａ、２ｂ    袋本体の表裏の矩形面
２ｐ、２ｑ    袋本体の側辺
３    掛止部材
４    掛止用凹部
５    第１の掛止部
６    第２の掛止用凹部
７    第２の掛止部
８    ミシン目
９    開口部
１０    貼着部
１１    マチ
３０    カップ
３１    カップの壁
１００Ａ、１００Ｂ    実施例のコーヒードリップバッグ
Ｌ１  折れ線
【図１】
2004358000.tif 000003
【図２】
2004358000.tif 000004
【図３】
2004358000.tif 000005
【図４】
2004358000.tif 000006
【図５】
2004358000.tif 000007
【図６】
2004358000.tif 000008
【図７】
2004358000.tif 000009